(57)【要約】【課題】収納容器部から塗布具を容易に取り出すことができる化粧料容器を提供する。【解決手段】化粧料１４を収納する容器本体１０と、容器本体１０を開閉する蓋体２０と、容器本体１０の下側に重ねて設けられ、容器本体１０に対してスライドして開閉される収納容器部３０と、を備え、収納容器部３０に塗布具４０を収納可能な化粧料容器１であって、収納容器部３０が、容器本体１０に装着され、容器本体１０に対して所定量だけスライド可能な基体部３１と、塗布具４０の収納部３２ｄを備え、基体部３１に装着されて基体部３１の内側に配置される閉位置と基体部３１から引き出された引出し位置との間で移動自在の引出し部３２と、を有することを特徴とする化粧料容器１。【選択図】図５
2018140086.tif 000002
【特許請求の範囲】
【請求項１】
化粧料を収納する容器本体と、前記容器本体を開閉する蓋体と、前記容器本体の下側に重ねて設けられ、該容器本体に対してスライドして開閉される収納容器部と、を備え、前記収納容器部に塗布具を収納可能な化粧料容器であって、
前記収納容器部が、
前記容器本体に装着され、該容器本体に対して所定量だけスライド可能な基体部と、
前記塗布具の収納部を備え、前記基体部に装着されて該基体部の内側に配置される閉位置と該基体部から引き出された引出し位置との間で移動自在の引出し部と、を有することを特徴とする化粧料容器。
【請求項２】
前記基体部に、前記引出し部が前記閉位置にあるときに該引出し部の後端壁に係合して該引出し部を前記閉位置に保持するとともに、前記引出し部が前記閉位置から前記引出し位置に向けて移動するときには該引出し部の前記後端壁が乗り越え可能な引出し用乗越え突起が設けられている、請求項１に記載の化粧料容器。
【請求項３】
前記基体部に、前記引出し部が前記引出し位置にまで引き出されたときに該引出し部の前記後端壁に係合して該引出し部を前記基体部に対して抜け止めする抜止め突起が設けられている、請求項１または２に記載の化粧料容器。
【請求項４】
前記容器本体に、前記基体部が前記容器本体に対して所定量だけスライドする際に該基体部が乗り越え可能であるとともに、前記基体部を前記容器本体に対して開いた状態及び閉じた状態に保持する基体部用乗越え突起が設けられている、請求項１〜３の何れか１項に記載の化粧料容器。
【発明の詳細な説明】
【技術分野】
【０００１】
本発明は、化粧料を収納する化粧料容器に関し、特に、化粧料を塗布するための塗布具を収納する収納容器部を備えるものに関する。
【背景技術】
【０００２】
従来から、例えばファンデーションやアイシャドウ等の固形ないし粉状の化粧料を収容する化粧料容器として、化粧料に加えて、当該化粧料を塗布するためのブラシやパフ等の塗布具を収納することができるようにしたものが知られている。
【０００３】
例えば特許文献１には、化粧料を収容する容器本体と、容器本体にヒンジ結合されて容器本体を開閉する蓋体と、容器本体の下側に重ねて設けられて容器本体に対してスライドして開閉される収納容器部（引出容器）とを備え、収納容器部の内部に塗布具（化粧用具）を収容することができるようにした化粧料容器（多段式コンパクト容器）が記載されている。
【先行技術文献】
【特許文献】
【０００４】
【特許文献１】実公昭６４−５５３４号公報
【発明の概要】
【発明が解決しようとする課題】
【０００５】
上記従来の化粧料容器では、収納容器部の前板部に回動部材を設け、収納容器部及び蓋体を閉じた状態として回動部材を蓋体に係合させることにより、蓋体と収納容器部とを容器本体に対して閉じた状態に保持するようにしている。
【０００６】
このような構成の上記従来の化粧料容器では、収納容器部に収納されている塗布具を取り出す際には、回動部材を回動させて収納容器部を引出し可能な状態とした後、当該回動部材を摘んで収納容器部を全閉状態から塗布具を取り出すことが可能な開度にまで大きく引き出す必要があるので、塗布具を取り出す作業が煩雑であるという問題点があった。
【０００７】
本発明は、このような課題に鑑みてなされたものであり、その目的は、収納容器部から塗布具を容易に取り出すことができる化粧料容器を提供することにある。
【課題を解決するための手段】
【０００８】
本発明の化粧料容器は、化粧料を収納する容器本体と、前記容器本体を開閉する蓋体と、前記容器本体の下側に重ねて設けられ、該容器本体に対してスライドして開閉される収納容器部と、を備え、前記収納容器部に塗布具を収納可能な化粧料容器であって、前記収納容器部が、前記容器本体に装着され、該容器本体に対して所定量だけスライド可能な基体部と、前記塗布具の収納部を備え、前記基体部に装着されて該基体部の内側に配置される閉位置と該基体部から引き出された引出し位置との間で移動自在の引出し部と、を有することを特徴とする。
【０００９】
本発明の化粧料容器は、上記構成において、前記基体部に、前記引出し部が前記閉位置にあるときに該引出し部の後端壁に係合して該引出し部を前記閉位置に保持するとともに、前記引出し部が前記閉位置から前記引出し位置に向けて移動するときには該引出し部の前記後端壁が乗り越え可能な引出し用乗越え突起が設けられているのが好ましい。
【００１０】
本発明の化粧料容器は、上記構成において、前記基体部に、前記引出し部が前記引出し位置にまで引き出されたときに該引出し部の前記後端壁に係合して該引出し部を前記基体部に対して抜け止めする抜止め突起が設けられているのが好ましい。
【００１１】
本発明の化粧料容器は、上記構成において、前記容器本体に、前記基体部が前記容器本体に対して所定量だけスライドする際に該基体部が乗り越え可能であるとともに、前記基体部を前記容器本体に対して開いた状態及び閉じた状態に保持する基体部用乗越え突起が設けられているのが好ましい。
【発明の効果】
【００１２】
本発明によれば、容器本体に対して基体部を所定量だけスライドさせるだけの簡単な操作で、引出し部を引出し可能な状態とすることができるとともに、引出し部を既に容器本体に対して所定量だけ開かれた状態とすることができ、これにより塗布具を取り出すことが可能となる開度までの引出し部の引出し量を小さくすることができるので、化粧料容器から塗布具を取り出す作業を容易にすることができる。
【００１３】
したがって、本発明によれば、収納容器部から塗布具を容易に取り出すことができる化粧料容器を提供することができる。
【図面の簡単な説明】
【００１４】
【図１】本発明の一実施の形態である化粧料容器の斜視図である。
【図２】図１に示す化粧料容器の平面図である。
【図３】図２におけるＡ−Ａ線に沿う断面図である。
【図４】図２におけるＢ−Ｂ線に沿う断面図である。
【図５】図１に示す化粧料容器の収納容器部を開く手順を示す斜視図である。
【図６】基体部を開いた状態の化粧料容器の断面図である。
【図７】引出し部を引き出した状態の化粧料容器の断面図である。
【発明を実施するための形態】
【００１５】
以下、図面を参照して、本発明をより具体的に例示説明する。
【００１６】
本発明の一実施の形態である化粧料容器１は、例えばファンデーションやアイシャドウ等の固形ないし粉状の化粧料を、当該化粧料を塗布するためのブラシやパフ等の塗布具とともに収納する用途に用いられるものである。図１〜図４に示すように、化粧料容器１は、容器本体１０、蓋体２０及び収納容器部３０を有し、これらが上から蓋体２０、容器本体１０、収納容器部３０の順で重ねられて全体として略立方体形状となっている。
【００１７】
容器本体１０は平面視で矩形（正方形）の枠体１１を有し、図３、図４に示すように、枠体１１を構成する周壁１１ａの内側に皿状部１２を一体に備えている。皿状部１２は矩形に凹む収納凹部１２ａを有しており、収納凹部１２ａにレフィル容器１３が着脱自在に装着されるようになっている。
【００１８】
レフィル容器１３は化粧料１４が充填された状態で開口をフィルム状のシール材（不図示）で密封されたものであり、シール材を取り外した開封状態で収納凹部１２ａに装着される。化粧料１４の使用後には空のレフィル容器１３を収納凹部１２ａから取り外して破棄し、新しいレフィル容器１３を収納凹部１２ａに装着することができる。これにより、化粧料容器１の再利用が可能である。
【００１９】
本実施の形態では、容器本体１０の収納凹部１２ａに、レフィル容器１３に充填された形態で化粧料１４を収納するようにしているが、収納凹部１２ａに直接化粧料１４を収納してもよい。
【００２０】
蓋体２０は、容器本体１０に対応した平面視で矩形（正方形）の形状を有し、容器本体１０の上側に重ねられている。蓋体２０の周壁２０ａは、それぞれ対応する容器本体１０の周壁１１ａと面一に配置されている。図３に示すように、蓋体２０は、その一側辺に支持部２１を備えている。支持部２１は、容器本体１０の周壁１１ａに設けられた切欠きに配置され、ヒンジ軸２２によって容器本体１０の枠体１１に回動自在に支持されている。これにより、蓋体２０は、ヒンジ軸２２を中心として回動して、容器本体１０の開口を閉じる閉位置（図３に実線で示す位置）と、容器本体１０の開口を開く開位置（図３に二点鎖線で示す位置）との間で開閉自在となっている。
【００２１】
蓋体２０の先端には内向きの爪部２０ｂが一体に設けられ、この爪部２０ｂが容器本体１０に設けられた凹溝１０ａにアンダーカット係合することにより、蓋体２０は閉位置に保持されるようになっている。
【００２２】
また、蓋体２０の内面には鏡２３が装着されており、蓋体２０を開いたときに鏡２３を使用することができるようになっている。
【００２３】
皿状部１２の底壁１２ｂには開口１２ｃが設けられ、この開口１２ｃの両側縁には、それぞれレール部１５が一体に設けられている。これらのレール部１５は、それぞれ底壁１２ｂと平行となって互いに平行に延びる板状のレール本体１５ａを有しており、それぞれのレール本体１５ａの長手方向の両端にはストッパ壁１５ｂが設けられている。
【００２４】
収納凹部１２ａに装着されたレフィル容器１３の下面を開口１２ｃ又は当該開口１２ｃとは個別に設けられた開口部を通して外部に露出させることで、当該開口１２ｃ又は開口部を通してレフィル容器１３の下面を上方に押し上げてレフィル容器１３を容易に収納凹部１２ａから取り外すことが可能な構成とすることもできる。
【００２５】
収納容器部３０は、容器本体１０の下側に重ねて設けられ、容器本体１０に対してスライドして開閉される。収納容器部３０の内部にはブラシやパフ等の塗布具４０を収納可能であり、化粧料１４の不使用時には収納容器部３０の内部に塗布具４０を保管することができる。
【００２６】
収納容器部３０は、基体部３１に引出し部３２が装着された構成となっている。
【００２７】
基体部３１は、容器本体１０に対応した平面視で矩形の箱状に形成されており、容器本体１０の下側に重ねられている。基体部３１の周壁３１ａは、それぞれ対応する容器本体１０の周壁１１ａと面一に配置されている。基体部３１の周壁３１ａの内側には天壁３１ｂが嵌め込まれており、天壁３１ｂの下面には、当該天壁３１ｂを底壁３１ｃに支持させる３つの脚壁３１ｄが一体に設けられている。
【００２８】
基体部３１の天壁３１ｂには、一対の係止爪３３が設けられている。これらの係止爪３３は、それぞれレール部１５のレール本体１５ａの半分程度の長さを有し、対応するレール本体１５ａに下方側からアンダーカット係合して当該レール本体１５ａに係止されている。これにより、基体部３１は、容器本体１０の下方側に当該容器本体１０に保持された状態で装着されるとともに、係止爪３３がレール本体１５ａに沿って移動することにより、容器本体１０に対して所定量だけスライド可能となっている。なお、容器本体１０に対する基体部３１のスライド量は、一対の係止爪３３の移動範囲が一対のストッパ壁１５ｂの間に制限されることにより規定されている。
【００２９】
レール本体１５ａの長手方向の略中間部には、それぞれ基体部用乗越え突起１５ｃが一体に設けられている。これらの基体部用乗越え突起１５ｃは、基体部３１が容器本体１０に対して閉じた状態（容器本体１０の下側に完全に重なった状態）のときには、後方側のストッパ壁１５ｂとの間に係止爪３３を保持して、基体部３１を閉じた状態に保持することができる。基体部３１を容器本体１０に対してスライドさせて開く際には、一対の係止爪３３は、それぞれ基体部用乗越え突起１５ｃを乗り越えることができる。さらに、これらの基体部用乗越え突起１５ｃは、基体部３１が容器本体１０に対して所定量だけスライドして開かれた状態のときには、前方側のストッパ壁１５ｂとの間に係止爪３３を保持して、基体部３１を開いた状態に保持することができる。
【００３０】
このように、レール本体１５ａに基体部用乗越え突起１５ｃを設けたことにより、基体部３１が容器本体１０に対して不意に開閉することを防止することができる。また、基体部３１を容器本体１０に対して開閉する際にクリック感が生じるようにして、その操作性を高めることもできる。
【００３１】
引出し部３２は、底壁３２ａの前端に前端壁３２ｂを一体に備えるとともに後端に後端壁３２ｃを一体に備え、前端壁３２ｂと後端壁３２ｃとの間は塗布具４０の収納部３２ｄとなっている。引出し部３２は、前端壁３２ｂが容器本体１０の周壁１１ａと面一となった状態で基体部３１の内側の３つの脚壁３１ｄに囲まれた空間内に配置されている。
【００３２】
引出し部３２が基体部３１の内側に配置された閉位置にあるときには、収納部３２ｄは外部から隔離されている。引出し部３２は基体部３１に対してスライド式に移動自在となっており、基体部３１から引き出されることで引出し位置にまで移動することができる。引出し部３２を引出し位置にまで移動させると、収納部３２ｄが外部に露出し、収納部３２ｄに対して塗布具４０を出し入れすることができる。
【００３３】
基体部３１の天壁３１ｂの下面には、一対の引出し用乗越え突起３１ｅが一体に設けられている。これらの引出し用乗越え突起３１ｅは、それぞれ半球形状に形成されており、天壁３１ｂの下面から突出している。引出し部３２が閉位置にあるときには、一対の引出し用乗越え突起３１ｅは、それぞれ引出し部３２の後端壁３２ｃに対して開位置側に隣接している。閉位置にある引出し部３２は、後端壁３２ｃが引出し用乗越え突起３１ｅに係止されることで、開位置の側への移動が規制される。したがって、引出し部３２は引出し用乗越え突起３１ｅによって閉位置に保持され、基体部３１に対して不意に開かれることが防止される。
【００３４】
引出し用乗越え突起３１ｅは半球形状に形成されているので、引出し部３２が基体部３１に対して開操作されて閉位置から引出し位置に向けて移動するときには、後端壁３２ｃは引出し用乗越え突起３１ｅを乗り越えることができる。このとき、引出し部３２の開操作にクリック感を生じさせることができるので、その操作性を高めることもできる。
【００３５】
基体部３１の天壁３１ｂの下面には、引出し用乗越え突起３１ｅよりも開位置側に位置して抜止め突起３１ｆが一体に設けられている。抜止め突起３１ｆは、引出し部３２が引出し位置にまで引き出されたときに、引出し部３２の後端壁３２ｃに係合し、引出し部３２を基体部３１に対して抜け止めする。これにより、引出し部３２が不意に基体部３１から外れることを防止することができる。
【００３６】
次に、このような構成の化粧料容器１において、収納容器部３０に対して塗布具４０を出し入れする手順について、図５〜図７を参照しつつ説明する。
【００３７】
まず、図５の図中左側に示すように、蓋体２０、収納容器部３０の基体部３１及び引出し部３２が全て容器本体１０に対して閉じられた状態から、収納容器部３０の基体部３１を容器本体１０に対して、ヒンジ軸２２に沿う方向にスライドさせる。これにより、図５の図中真ん中に示すように、容器本体１０に対して基体部３１がスライド式に開かれる。このとき、容器本体１０に対する基体部３１のスライド量は僅かであるので、その操作は容易である。
【００３８】
図６に示すように、容器本体１０に対して基体部３１がスライド式に開かれると、係止爪３３が基体部用乗越え突起１５ｃを乗り越えてレール本体１５ａに沿って移動し、ストッパ壁１５ｂに当接することで、それ以上に開くことが規制される。
【００３９】
基体部３１が容器本体１０に対して開かれた状態となると、引出し部３２の収納部３２ｄが外部に露出し、前端壁３２ｂに指を掛けられる状態となる。すなわち、基体部３１が容器本体１０に対して開かれることで、引出し部３２は、その前端壁３２ｂに指を掛けて開操作することができる状態とされる。このように、フックやロック機構等の解除操作を行うことなく、容器本体１０に対して基体部３１を所定量だけスライドさせるだけの簡単な操作で、収納容器部３０の引出し部３２を引出し可能な状態とすることができる。
【００４０】
次に、前端壁３２ｂに指を掛けて引出し部３２を基体部３１から引き出すことで、図５の図中右側に示すように、引出し部３２を引出し位置にまで開くことができる。
【００４１】
引出し部３２を引出し位置にまで開く際には、後端壁３２ｃが引出し用乗越え突起３１ｅを乗り越えて移動し、図７に示すように、基体部３１に対して引出し部３２が引出し位置にまで開かれると、後端壁３２ｃが抜止め突起３１ｆに係止されることで、それ以上に開くことが規制される。このとき、収納容器部３０の基体部３１が既に容器本体１０に対して所定量だけ開かれた状態となっているので、塗布具４０を取り出すことが可能となる開度までの引出し部３２の引出し量は、基体部３１の容器本体１０に対するスライド量の分だけ小さくなる。また、収納容器部３０全体ではなく、引出し部３２のみを引き出すので、その操作性および開放状態の安定性が高められる。
【００４２】
引出し部３２が所定開度まで開かれることで、塗布具４０を収納部３２ｄに対して出し入れすることができる。
【００４３】
塗布具４０を収納部３２ｄに対して出し入れした後には、引出し部３２を基体部３１の内部に向けて押し込むとともに、基体部３１を容器本体１０に対して逆方向にスライドさせることで、この化粧料容器１を、図５の図中左側に示す閉じた状態に容易に戻すことができる。
【００４４】
なお、収納容器部３０から取り出した塗布具４０を使用する際には、蓋体２０を開いて化粧料１４を外部に露出させることで、塗布具４０を用いて化粧料１４の塗布を行うことができる。
【００４５】
このように、この化粧料容器１では、容器本体１０に対して基体部３１を所定量だけスライドさせるだけの簡単な操作で、引出し部３２を引出し可能な状態とすることができるとともに、引出し部３２を既に容器本体１０に対して所定量だけ開かれた状態とすることによって塗布具４０を取り出すことが可能となる開度までの引出し部３２の引出し量を小さくすることができる。したがって、化粧料容器１から塗布具４０を取り出す際の収納容器部３０の開閉操作を容易にして、塗布具４０を取り出す作業を容易にすることができる。
【００４６】
本発明は前記実施の形態に限定されるものではなく、その要旨を逸脱しない範囲で種々変更可能であることはいうまでもない。
【００４７】
例えば、前記実施の形態においては、蓋体２０を容器本体１０にヒンジ軸２２を用いて回動自在に連結した構成としているが、これに限らず、容器本体１０を開閉することができれば、例えば、容器本体１０に対してねじ結合により着脱自在とする構成や、アンダーカット係合等によって着脱自在とする構成を採用することもできる。
【００４８】
また、基体部３１を容器本体１０にスライド可能に装着する構造は、上記した一対のレール部１５と係止爪３３とを用いたものに限らず、種々の構成を採用することができる。
【００４９】
さらに、収納容器部３０に収納する塗布具４０は、上記実施の形態のようにブラシやパフに限らず、例えばスポンジ等の他の塗布具としてもよい。また、塗布具４０は、化粧料１４を使用するための塗付具だけでなく、それ自身が化粧料を備えた化粧用ペンシル等の塗付具としてもよい。
【符号の説明】
【００５０】
１    化粧料容器
１０    容器本体
１０ａ  凹溝
１１    枠体
１１ａ  周壁
１２    皿状部
１２ａ  収納凹部
１２ｂ  底壁
１２ｃ  開口
１３    レフィル容器
１４    化粧料
１５    レール部
１５ａ  レール本体
１５ｂ  ストッパ壁
１５ｃ  基体部用乗越え突起
２０    蓋体
２０ａ  周壁
２０ｂ  爪部
２１    支持部
２２    ヒンジ軸
２３    鏡
３０    収納容器部
３１    基体部
３１ａ  周壁
３１ｂ  天壁
３１ｃ  底壁
３１ｄ  脚壁
３１ｅ  引出し用乗越え突起
３１ｆ  抜止め突起
３２    引出し部
３２ａ  底壁
３２ｂ  前端壁
３２ｃ  後端壁
３２ｄ  収納部
３３    係止爪
４０    塗布具
【図１】
2018140086.tif 000003
【図２】
2018140086.tif 000004
【図３】
2018140086.tif 000005
【図４】
2018140086.tif 000006
【図５】
2018140086.tif 000007
【図６】
2018140086.tif 000008
【図７】
2018140086.tif 000009